(57)【特許請求の範囲】
【請求項１】
ペットボトルを中央部で切断して得られる部材のうち飲み口がついている部分を送水口として用いることにより構成され、水が漏れ出しているひび割れ箇所の下部近傍であって漏水が流れているところに耐水性の接着剤により固定される捕集部と、
前記送水口に設けられるホースアダプターと、
その先端に前記ホースアダプターと脱着可能なホースカプラーを備えた、前記捕集部において捕集された水を搬送するためのホースと、
前記ホースによって搬送された水を貯留し、貯留された水の量を計測可能な水量計測部と、
を備えることを特徴とする漏水量計測装置。
【請求項２】
請求項１に記載の漏水量計測装置であって、
前記捕集部への異物の侵入を阻止するネットを備える
ことを特徴とする漏水量計測装置。
【請求項３】
ペットボトルを中央部で切断して得られる部材のうち飲み口がついている部分を送水口として用いることにより構成された捕集部材を、水が漏れ出しているひび割れ箇所の下部近傍であって漏水が流れているところに耐水性の接着剤により接着し、
前記送水口にホースアダプターを設け、
前記捕集部材に、その先端に前記ホースアダプターと脱着可能なホースカプラーを備えた、当該捕集部材で捕集した水を搬送するためのホースを取付け、
前記捕集部材によってひび割れ箇所から漏れ出す水を捕集し、
前記捕集部材において捕集された水を前記ホースにより、貯留された水の量を計量可能な計量器に搬送して当該計量器に貯留し、
前記計量器により、前記貯留された水の量を計測する
ことを特徴とする漏水量計測方法。
【発明の詳細な説明】
【技術分野】
【０００１】
本発明は、漏水量を簡易かつ正確に計測する漏水量計測装置及び方法に関する。
【背景技術】
【０００２】
コンクリート製の水路にひび割れがあると、そこから漏水が発生する。ひび割れ箇所に漏水が発生すると、漏水による侵食作用によりひび割れは少しずつ大きくなる。そこで、ひび割れの進行状況を把握するため、定期的に漏水量を計測する必要がある。
【０００３】
従来は、プラスチック製のバケツを漏水が発生しているひび割れの箇所にあてがい、バケツに捕集した漏水の水量を計測することで、ひび割れからの漏水量を測定していた。しかし、この方法では、コンクリート壁に凹凸などがあると、コンクリート壁をつたって流れる漏水を完全には捕集できず、漏水量を正確に計測することができないことがあった。また、測定の度にバケツをあてがうのでは、手間がかかるという問題があった。
【０００４】
ところで、漏水に関する発明として、例えば、特許文献１には、遮水シートの漏水箇所を検知する技術が開示されているが、漏水量を計測するものではない。
【特許文献１】特開平１０−２８１９１８公報
【発明の開示】
【発明が解決しようとする課題】
【０００５】
本発明は、このような課題に対して、漏水量を簡易かつ正確に計測する漏水量計測装置及び方法を提供することを目的とする。
【課題を解決するための手段】
【０００６】
本発明うちの一つは、漏水量計測装置であって、
ペットボトルを中央部で切断して得られる部材のうち飲み口がついている部分を送水口として用いることにより構成され、水が漏れ出しているひび割れ箇所の下部近傍であって漏水が流れているところに耐水性の接着剤により固定される捕集部と、
前記送水口に設けられるホースアダプターと、
その先端に前記ホースアダプターと脱着可能なホースカプラーを備えた、前記捕集部において捕集された水を搬送するためのホースと、
前記ホースによって搬送された水を貯留し、貯留された水の量を計測可能な水量計測部と、を備えることとする。
【０００７】
本発明うちの他の一つは、上記漏水量計測装置であって、
前記捕集部への異物の侵入を阻止するネットを備えることとする。
【発明の効果】
【０００８】
本発明によれば、漏水量を簡易かつ正確に計測する漏水量計測装置及び方法を提供することができる。
【発明を実施するための最良の形態】
【０００９】
図１は、本発明の一実施形態である漏水量計測装置１の構成を示す図である。同図に示される通り、漏水量計測装置１は、捕集部１０、ネット２０、ホースアダプター３０、ホースカプラー４０、ホース５０、水量計量部６０等を備える。
【００１０】
捕集部１０は、ひび割れ箇所から漏れ出す水を捕集する。捕集部１０は、水を捕集する受け側である集水口１１が大きな断面形状を有して開放され、捕集した水をホースに送る側である送水口１２は細く絞られた漏斗状の形状を有している。例えば、捕集部１０としてペットボトルを中央部で切断して得られる部材のうち、飲み口がついている方を捕集部１０として利用することができる。この場合は、切断面が集水口１１となり、飲み口が送水口１２となる。捕集部１０は、水が漏れ出しているひび割れ箇所の下部近傍であって漏水が流れているところに、その漏水を捕集できるように、水中ボンド（商品名）等の耐水性の接着剤１５で固定される。なお、漏水をより確実に捕集できるようにするために、漏水を捕集部１０の集水側に誘導するガイド（不図示）をひび割れ箇所の近傍側部に設けてもよい。
【００１１】
ホース５０は、捕集部１０において捕集された水を水量計量部６０へ搬送する。  
ネット２０は、捕集部１０へのゴミ等の固形の異物が侵入するのを阻止する。ネット２０の網の目の大きさは、ホース５０が詰まらないようホース５０の径よりも十分に小さいものであることが必要である。
【００１２】
ホースアダプター３０は、捕集部１０の送水口１２に取付けられる。また、ホース５０の先端にはホースカプラー４０が取付けられる。ホースアダプター３０とホースカプラー４０は、互いにワンタッチで着脱できるように構成されており、これにより、捕集部１０とホース５０とを容易に着脱することができる。
【００１３】
水量計量部６０は、水の量を計測可能な容器であって、ホース５０によって搬送された水を貯留する。水量計量部６０には、目盛が付してあり、この目盛を読み取ることで、貯留された水の量を計測することができる。
【００１４】
次に、漏水量計測装置１の使用例について説明する。図２は、漏水量計測装置１を使用するときの様態を示す図である。
【００１５】
同図に示すように、まず、ホース５０を取外した状態の捕集部１０を漏水量を計測すべき各ひび割れ箇所の近傍下部の漏水が流れている部位に、接着剤１５で接着しておく。
【００１６】
ある漏水箇所の漏水量を計測するときには、その漏水箇所に設置された捕集部１０にホースアダプター３０及びホースカプラー４０を介してホース５０を接続する。そして、ホース５０によって捕集部１０において集められた水を水量計量部６０に貯留して、水量を計測する。計測後、ホース５０を取り外す。
【００１７】
次に、別の漏水箇所の漏水量を計測するときは、次に計測対象となる漏水箇所に設置された捕集部１０にホース５０を接続させ、同様に水量を水量計量部６０において計測する。このようにして、各漏水箇所の漏水量を順番に計測する。
【００１８】
以上の通り、本実施形態の漏水量計測装置１を用いれば、漏水量を簡易かつ正確に計測することができる。すなわち、接着剤によって捕集部１０が固定されており、ひび割れ箇所からの漏水を確実に集めることができる。また、捕集部１０において集めた漏水は、ホース５０を介して水量計量部６０に貯留され、その量を正確に計測することができる。
【００１９】
また、捕集部１０とホース５０は、ホースアダプター３０及びホースカプラー４０を介して簡易に着脱可能となっているので、多くのひび割れ箇所からの漏水量を容易に計測することができる。
【００２０】
さらに、捕集部１０にネット２０を設けることで、ゴミ詰まりを防止することができる。
【００２１】
なお、以上の実施形態の説明は、本発明の理解を容易にするためのものであり、本発明を限定するものではない。本発明はその趣旨を逸脱することなく、変更、改良され得ると共に本発明にはその等価物が含まれることは勿論である。
【図面の簡単な説明】
【００２２】
【図１】漏水量計測装置１の構成を示す図である。
【図２】漏水量計測装置１を使用するときの様態を示す図である。
【符号の説明】
【００２３】
１  漏水量計測装置
１０  捕集部
１１  集水口
１２  送水口
１５  接着剤
２０  ネット
３０  ホースアダプター
４０  ホースカプラー
５０  ホース
６０  水量計量部
【図１】
0004657264.tif 000002
【図２】
0004657264.tif 000003